(57)【要約】【課題】ＩＣタグへの情報の送受信が妨害されず、確実にＩＣタグに製品情報を入力し且つ入力された製品情報を確実に出力することが可能なＩＣタグ付プラスチックキャップを提供する。【解決手段】天板２１の上面に、製品情報が記憶されたＩＣタグ１０が設けられているプラスチックキャップであって、天板２１の内面側に遮蔽部材５０が設けられており、遮蔽部材５０によって、天板２１の上面に設けられたＩＣタグ１０中のアンテナ３と容器内容液の液面との間にＩＣタグ１０への信号の送受信が妨害されない程度の間隔が保持される。【選択図】図２
2008239237.tif 000002
【特許請求の範囲】
【請求項１】
天板と、天板周縁部から降下したスカート壁とを有し、該天板の上面には、製品情報が記憶されたＩＣタグが設けられているとともに、該天板の下面には、容器口部と密着するシール部が形成されているプラスチックキャップにおいて、
前記天板上面に設けられたＩＣタグ中のアンテナと容器内容液の液面との間に該ＩＣタグへの信号の送受信が妨害されない程度の間隔が形成され得るように、前記天板の内面側に遮蔽部材が設けられていることを特徴とするプラスチックキャップ。
【請求項２】
前記シール部が、前記スカート壁と間隔をおいて天板の下面から下方に延びているインナーリングからなり、容器口部に装着されたときに、該インナーリングの外面が容器口部の内面と密着することにより密封性が確保される請求項１に記載のプラスチックキャップ。
【請求項３】
前記遮蔽部材は、底壁部と該底壁部の周縁から立ち上がった環状側壁部とを有し、該環状側壁部の上端には外方に延びている薄肉のフランジ部が形成されており、該底壁部によって前記間隔が保持されている請求項１または２に記載のプラスチックキャップ。
【請求項４】
前記フランジ部の上面が、前記インナーリングの付け根部分から離隔して前記天板の内面に熱溶着されている請求項３に記載のプラスチックキャップ。
【請求項５】
前記フランジ部の上面が、前記インナーリングの内面側の付け根部分に熱溶着されている請求項３に記載のプラスチックキャップ。
【請求項６】
前記遮蔽部材は、前記インナーリングの内面下方部分で、該インナーリングの下端部が形成する開口を閉じるように設けられている請求項２に記載のプラスチックキャップ。
【請求項７】
前記遮蔽部材は、熱溶着により前記インナーリングに固定されている請求項６に記載のプラスチックキャップ。
【請求項８】
前記遮蔽部材は、底壁部と該底壁部の周縁部から立ち上がった環状側壁部とからなり、該環状側壁部は、該底壁部の周縁部から上方に向かって傾斜して延びている傾斜部と、該傾斜部の上端から外方に延びているフランジ部と、該フランジ部の内方側上面から上方に延びている上方補助部とを有しており、該フランジ部の上面及び／または上方補助部の外面が前記インナーリングの下端及び／または下方部分内面に熱溶着している請求項７に記載のプラスチックキャップ。
【発明の詳細な説明】
【技術分野】
【０００１】
本発明は、製品情報が記憶されたＩＣタグが天板に取り付けられたプラスチックキャップに関する。
【背景技術】
【０００２】
従来、各種の製品には、製造年月日、製造・販売者名、使用期限などの製品情報を表示したバーコードが広く利用されている。ところで、バーコードは、コード化された情報をリーダーで読取るため、バーコードの印刷面を平面とする必要があり、このため、ボトルやキャップなどの包装材料の分野では、バーコードの印刷面が制限され、また、コード化できる情報量も限られたものとなってしまうという問題がある。
【０００３】
そこで、最近では、ＩＣタグを用いた情報表示の技術が利用されるようになってきた。ＩＣタグとは、ＲＦＩＤ(Radio  Frequency  Identification)とも呼ばれるものであり、所定の情報が記憶されたＩＣチップを無線アンテナとともに樹脂やガラス等の誘電体材料に埋め込んでタグ（荷札）状に形成した超小型の通信端末である。このようなＩＣタグは、無線通信により、ＩＣチップに記憶された製品情報を読取るものであり、例えばＩＣチップのメモリには、数百バイトのデータを記録することができ、多くの製品情報を記録できるという利点がある。また、ＩＣタグは、非接触で記録された情報を読取ることができ、接触による摩耗などの問題もなく、さらには、商品の形態に併せた形状に加工したり、小型化、薄型化なども可能であるという利点がある。
【０００４】
このようなＩＣタグが設けられたキャップとして、特許文献１及び２には、天板にＩＣタグが埋め込まれたものが提案されている。
【特許文献１】特開２００６−６２７１６号公報
【特許文献２】特開２００５−３２１９３５号公報
【発明の開示】
【発明が解決しようとする課題】
【０００５】
ところで、上記のようなＩＣタグには、通信を電磁誘導方式により行うタイプと電波方式により行うタイプとがある。電磁誘導方式のＩＣタグは、通信が水分による影響を受け難いという利点があるものの、大面積であるという欠点があり、一方、電波方式のＩＣタグは、通信が水分による影響を受け易いという欠点があるものの、小面積であるという利点を有しているため、現在、キャップの分野では、この電波方式のＩＣタグが検討されている。
しかるに、前述した天板にＩＣタグが設けられているキャップでは、飲料等の水分を含有する内容物が充填された容器に適用した場合、電波方式のＩＣタグであるため、上記のような情報の送受信が困難になるという問題があった。即ち、飲料等に含まれている水分が誘電損失やインピーダンスの不整合を引き起こし、この結果、ＩＣタグへの情報の送受信が妨害されてしまうのである。
【０００６】
従って、本発明の目的は、ＩＣタグへの情報の送受信が妨害されず、確実にＩＣタグに製品情報を入力し且つ入力された製品情報を確実に出力することが可能なＩＣタグ付プラスチックキャップを提供することにある。
【課題を解決するための手段】
【０００７】
本発明によれば、天板と、天板周縁部から降下したスカート壁とを有し、該天板の上面には、製品情報が記憶されたＩＣタグが設けられているとともに、該天板の下面には、容器口部と密着するシール部が形成されているプラスチックキャップにおいて、
前記天板上面に設けられたＩＣタグ中のアンテナと容器内容液の液面との間に該ＩＣタグへの信号の送受信が妨害されない程度の間隔が形成され得るように、前記天板の内面側に遮蔽部材が設けられていることを特徴とするプラスチックキャップが提供される。
【０００８】
本発明においては、
（１）前記シール部が、前記スカート壁と間隔をおいて天板の下面から下方に延びているインナーリングからなり、容器口部に装着されたときに、該インナーリングの外面が容器口部の内面と密着することにより密封性が確保されること、
（２）前記遮蔽部材は、底壁部と該底壁部の周縁から立ち上がった環状側壁部とを有し、該環状側壁部の上端には外方に延びている薄肉のフランジ部が形成されており、該底壁部によって前記間隔が保持されていること、
（３）前記フランジ部の上面が、前記インナーリングの付け根部分から離隔して前記天板の内面に熱溶着されていること、
（４）前記フランジ部の上面が、前記インナーリングの内面側の付け根部分に熱溶着されていること、
（５）前記遮蔽部材は、前記インナーリングの内面下方部分で、該インナーリングの下端部が形成する開口を閉じるように設けられていること、
（６）前記遮蔽部材は、熱溶着により前記インナーリングに固定されていること、
（７）前記遮蔽部材は、底壁部と該底壁部の周縁部から立ち上がった環状側壁部とからなり、該環状側壁部は、該底壁部の周縁部から上方に向かって傾斜して延びている傾斜部と、該傾斜部の上端から外方に延びているフランジ部と、該フランジ部の内方側上面から上方に延びている上方補助部とを有しており、該フランジ部の上面及び／または上方補助部の外面が前記インナーリングの下端及び／または下方部分内面に熱溶着していること、
が好適である。
【発明の効果】
【０００９】
本発明のプラスチックキャップにおいては、天板の内面側に設けられている遮蔽部材により、天板の上面に取り付けられたＩＣタグ中のアンテナと容器内容液（例えば水）の液面との間に十分な間隔を保持せしめることができる。このため、このキャップを飲料等の水分を含有する内容液が充填された容器に適用した場合においても、内容液が誘電損失やインピーダンスの不整合を引き起こすことにより送受信を阻害するという不都合が防止され、ＩＣタグへの製品情報の送信（入力）及び入力された製品情報の受信（出力）を確実に行うことが可能となる。
【００１０】
上記の遮蔽部材は、熱溶着により天板の内面に取り付けられていることが好ましく、これにより、例えばシャワーなどにより吹き付けられる洗浄水や無菌充填に際して使用する殺菌水が遮蔽部材と天板の内面との間に侵入するという不都合を確実に防止することができ、水分による信号伝送の妨害を確実に防止することができる。例えば、本発明のような遮蔽部材の代わりに、容器口部に嵌めこまれる中栓などを利用してＩＣタグ中のアンテナと容器内容液の液面との間に所定の間隔が保持されるような構造とした場合には、無菌充填を行う際に実施するキャップに対する殺菌処理時にキャップ天板の下面側に殺菌水等が浸入してしまうため、この殺菌水によって信号伝送が妨害されてしまうが、本発明では、上記処理を行った場合においても、ＩＣタグへの情報の送受信を確実に行うことが可能となる。
【００１１】
また、遮蔽部材は、単にＩＣタグのアンテナ（具体的にはＩＣタグが設けられている天板の大部分）と容器内容液の液面との間に十分な間隔を確保するために設けられる部材であり、極めて簡単な形状を有する部材である。従って、キャップ及び遮蔽部材を、それぞれ圧縮成形等により形成し、次いでキャップの天板上面にＩＣタグを取り付け且つ天板内面に遮蔽部材を取り付けるという手段で製造することができ、生産性が高い。
【００１２】
また、本発明では、インナーリングと遮蔽部材とが別体であるため、インナーリングの長さを必要以上に長くせずに、容器内容液とＩＣタグとの間に、水分による信号の伝送妨害（誘電損失やインピーダンスの不整合による）を確実に防止し得る大きさの間隔を確保することができる。即ち、遮蔽部材とインナーリングとが一体的に形成されているような構造では、圧縮成形では製造が困難であり、射出成形によりキャップの製造を行なうことが必要となり、成形時間が長くなったり、生産性の低下が否めない。しかるに、インナーリングと遮蔽部材とが別体となっている本発明では、インナーリングを備えたキャップと遮蔽部材とを、それぞれ別個に短時間での圧縮成形によって成形し、次いで熱溶着等により遮蔽部材をインナーリングに取り付けることにより適宜製造できるため、生産性が極めて高い。
【００１３】
さらに、遮蔽部材は、ＩＣタグ中のアンテナと容器内容液の液面との間に信号の送受信が妨害されない程度の間隔が保持されるような大きさを有していればよいため、キャップの大きさに応じて、遮蔽部材の大きさを適宜変更することができる。例えば、キャップ径が大きい場合にも、遮蔽部材の大きさを小さくすることができ、必要以上に大きな遮蔽部材を設ける必要はなく、設計の自由度が大きいという利点がある。
【００１４】
本発明において、遮蔽部材は、底壁部と該底壁部の周縁から立ち上がった環状側壁部とを有し、該環状側壁部の上端には外方に延びている薄肉のフランジ部が形成されており、該底壁部によって前記間隔を保持するという形態とすることができ、この場合には、薄肉のフランジ部の上面をインナーリングと間隔をおいて天板内面に熱溶着したり或いはインナーリングの内面付け根部分に熱溶着することにより、しっかりと遮蔽部材を固定することができ、遮蔽部材の固定作業が極めて容易である。
【００１５】
また、本発明においては、容器口部とのシールに寄与するインナーリングの下端の開口を閉じるように遮蔽部材を設けることもできる。この場合には、天板に設けられているＩＣタグ中のアンテナの全面と容器内容液の液面との間に一定の間隔が保持されるため、内容液によるＩＣタグへの送受信の阻害を確実に防止できる。
【００１６】
また、上記のように、インナーリングの下端の開口を閉じるように遮蔽部材を設ける場合には、遮蔽部材を、底壁部と該底壁部の周縁部から立ち上がった環状側壁部とから形成し、且つ該環状側壁部を、該底壁部の周縁部から上方に向かって傾斜して延びている傾斜部と、該傾斜部の上端から外方に延びているフランジ部とを備えた形態とし、該フランジ部の内側上面から上方に延びている上方補助部を形成し、該フランジ部の上面及び／または上方補助部の外面を前記インナーリングの下端及び／または下方部分内面に熱溶着せしめることが好適である。このような構造とすることにより、インナーリングによるシール性を損なうことなく、遮蔽部材をしっかりとインナーリングに固定することができる。また、この場合には、環状側壁部の傾斜部の軸方向長さを調整することにより、インナーリングが短い場合にも、ＩＣタグが保持されている天板と遮蔽部材の底壁部との間隔を大きくし、容器内容液が接触する該底壁部とＩＣタグとの間に大きな間隔を設定することができる。
【発明を実施するための最良の形態】
【００１７】
本発明を、以下、添付図面に示す具体例に基づいて説明する。
図１は、本発明のプラスチックキャップに取り付けられるＩＣタグの側断面図であり、
図２は、図１のＩＣタグが取り付けられた本発明のプラスチックキャップの一例を容器口部と共に示す半断面側面図であり、
図３は、図１のＩＣタグが取り付けられた本発明のプラスチックキャップの他の例を容器口部と共に示す半断面側面図であり、
図４は、図１のＩＣタグが取り付けられた本発明のプラスチックキャップの他の例を容器口部と共に示す半断面側面図である。
【００１８】
図１を参照して、本発明のプラスチックキャップに取り付けられるＩＣタグ（全体として１０で示す）は、誘電体基板１を備えており、この誘電体基板１の表面に金属製アンテナ３とＩＣチップ５が固定されている。
【００１９】
誘電体基板１は、非導電性材料から形成されるが、一般的には熱溶着可能な熱可塑性樹脂から形成される。このような熱可塑性樹脂としては、特に制限されないが、一般的には、このＩＣタグ１０が取り付けられるプラスチックキャップを構成する樹脂基材と同様の樹脂からなるものであり、例えばポリプロピレン製のキャップにＩＣタグ１０を設ける場合には、ポリプロピレンにより誘電体基板１が形成されていることが好ましい。
【００２０】
また、誘電体基板１の表面には、必要により、接着剤層（図示せず）を形成しておくこともでき、これにより、金属製アンテナをしっかりと誘電体基板１に接着固定することができる。このような接着剤としては、一般に、ポリオレフィン樹脂を不飽和カルボン酸またはその誘導体でグラフト変性した酸変性オレフィン樹脂が好適である。
【００２１】
アンテナ３は、通常、アルミニウム、銅、銀、金などの低抵抗金属の薄膜（厚みが５乃至５０μｍ程度）からなるものであり、所定のパターン形状を有しており、信号の送受信に使用される。このアンテナ３の外径Ｌは、通常、１８ｍｍ程度である。
【００２２】
尚、図１から理解されるように、後述するプラスチックキャップの天板にこのＩＣタグ１０を熱溶着等により接着固定するために、基板１の周縁部分はアンテナ３により被覆されておらず、その上面が露出している。
【００２３】
ＩＣチップ５は、フリップチップ実装などにより、上記のアンテナ３に導通するように設けられるものであり、このＩＣタグ１０が取り付けられるプラスチックキャップに関する情報が記憶されるものであり、上記のアンテナ３を介しての信号の送信により、所定の情報が記憶され、またアンテナ３を介してＩＣタグ１０に記憶された情報が読み取られるものである。
【００２４】
また、図１に示されているように、上記のＩＣチップ５は、一般に、ポリイミド、ビスマレイミド樹脂などの封止剤７により、封止されて保護されている。
【００２５】
尚、誘電体基板１の厚みは、その表面にアンテナ３を形成し且つＩＣチップ５を実装する作業を行い得る程度の強度を示すようなものであればよく、一般的には１０乃至１０００μｍ程度である。
【００２６】
上述したＩＣタグ１０が取り付けられたプラスチックキャップの構造を示す図２を参照して、全体として２０で示すプラスチックキャップは、天板２１と、天板２１の周縁部から降下しているスカート壁２３とから成っている。
【００２７】
スカート壁２３の内面には、このキャップ２０が装着される容器の口部７０の外面に設けられている螺条７１と螺子係合する螺条２５が形成されており、スカート壁２３の下端には、破断可能なブリッジ２７を介してタンパーエビデント（ＴＥ）バンド２９が設けられており、ＴＥバンド２９の内面には、上向きのフラップ片３０が間欠的に周状に形成されている。
【００２８】
即ち、このキャップ２０は螺条２５による螺子係合によって容器口部７０に装着され、容器口部７０に装着されたキャップ２０を、開栓方向に回転させることにより容器口部７０から取り除かれるが、開栓に際して、ＴＥバンド２９の内面に形成されているフラップ片３０が容器口部７０の外面に形成されている顎部７３と係合し、ＴＥバンド２９の上昇が制限され、ブリッジ２７が破断してＴＥバンド２９がスカート壁２３から切り離される。この結果、ＴＥバンド２９が切り離されているという事実から、一般の需要者は、キャップ２０が容器口部７０から一旦取り除かれたという事実を認識することができるのである。
【００２９】
一方、天板２１の上面には、前述したＩＣタグ１０が取り付けられている。このＩＣタグ１０は、図２に示されているように、通常、ＩＣチップ５が設けられている部分７側が下方となるような位置関係で基板１の露出面と天板２１の上面とを熱溶着することにより取り付けられる。従って、天板２１の上面の中央部分には、このようなＩＣチップ５が設けられて突出している部分を受け入れるような凹部２１ａが形成されている。また、図２では、ＩＣタグ１０中のアンテナ３が設けられている領域がＬで示されている。
【００３０】
また、上述したＩＣタグ１０が熱溶着される天板２１の上面の外周縁部分にＩＣタグ１０の基板１の厚みに相当する大きさの段差３７を形成しておくことが好ましく、これにより、キャップ２０の上端面を滑らかなフラットな面とし、キャップ２０の外観を良好に保持することができる。
【００３１】
尚、上述したＩＣタグ１０は、嵌め込み等により天板２１の上面に機械的に固定することも可能であり、また、天板２１の外周部分に環状の突起を設けておき、ＩＣタグ１０を載置した状態で、この突起を屈曲してＩＣタグ１０の周縁部分を固定することも可能である。このようにしてＩＣタグ１０を設けた場合には、ＩＣタグ１０の基板１は、特に熱可塑性樹脂製のような熱溶着性の材料で形成されている必要はなく、ガラス等の誘電材料で形成されていてもよい。
【００３２】
一方、天板２１の下面には、前述したスカート壁２３と間隔をおいて下方に延びており、外面側が膨出した形状のインナーリング３１が設けられており、このインナーリング３１よりも外方部分にアウターリング３３が形成されており、またインナーリング３１の付け根部分の外面側には環状の小突起３５が形成されている。
【００３３】
即ち、前述した螺子係合によりキャップ２０を容器口部７０に装着したとき、容器口部７０の上方部分の内面がインナーリング３１の外面に密着し、容器口部７０の上端部分の外面側がアウターリング３３の内面に密着し、かつ容器口部７０の上端面が小突起３５に密接し、これにより、良好な密封性シールが確保されるものである。
【００３４】
本発明においては、天板２１の内面には、インナーリング３１で取り囲まれている部分に、遮蔽部材５０が取り付けられている。即ち、このような遮蔽部材５０を設けることにより、容器口部７０に装着された状態において、天板２１に取り付けられているＩＣタグ１０のアンテナ３と容器内容液の液面との間に一定の間隔が保持されることとなる。従って、既に述べたように、このキャップ２０を飲料等の水分を含有する内容液が充填された容器に適用した場合においても、水分による誘電損失やインピーダンスの不整合に起因する信号（電磁波）の伝送阻害が発生する事なく、ＩＣタグへの製品情報の送信（入力）及び入力された製品情報の受信（出力）を確実に行うことが可能となるわけである。
【００３５】
本発明において、遮蔽部材５０は、底壁部５１と底壁部５１の周縁部から立ち上がった環状側壁部５３とからなっており、この底壁部５１により、ＩＣタグ１０のアンテナ３と容器内容液の液面との間に、信号の送受信が妨害されない程度に十分な間隔が保持されることとなる。
【００３６】
また、上記のような遮蔽部材５０において、環状側壁部５３の上端からは薄肉のフランジ部５５が外方に延びており、この薄肉のフランジ部５５が天板２１の内面に熱溶着されており、これにより、遮蔽部材５０はしっかりと天板内面に固定され、遮蔽部材５０の内部への容器内容液の漏洩を防止し得るばかりか、例えば無菌充填に際して使用する殺菌水の天板２１の下面側への侵入も確実に防止することができ、水分による信号伝送の妨害を確実に防止することができる。この場合、熱溶着を行なわず、インナーリング３１の付け根部分の内面側に遮蔽部材を嵌め込むことも可能であるが、この場合には、遮蔽部材５０が不安定となり、水分の遮断効果が不十分となり、特に無菌充填を適用するような場合には、殺菌水などを侵入し、ＩＣタグ１０への送受信が不安定となるおそれがあるため、熱溶着により遮蔽部材５０を設けることが好適である。
【００３７】
また、上記のような構造の遮蔽部材５０において、環状側壁部５３の長さは、底壁部５１とＩＣタグ１０のアンテナ３形成領域Ｌとの間隔ｄが、底壁部５１の下面が容器内容液の液面と接触している状態でのＩＣタグ１０への信号の伝送が水により妨害されない程度のものとすればよい。例えば信号の周波数やアンテナ３のパターンなどによっても異なるが、一般に、上記間隔ｄが７ｍｍ以上となるように、環状側壁部５３の長さを設定する。
【００３８】
さらに、底壁部５１の面積は、ＩＣタグ１０のアンテナ３形成領域Ｌの大部分において、上記の間隔が確保されるようにすればよく、アンテナ３形成領域Ｌの全体にわたって上記のような間隔ｄが維持されることを要しない。即ち、一般に、アンテナ３形成領域Ｌの径の大部分において、上記の間隔ｄが確保されていれば、インナーリング３１と環状側壁５３の上方部分との間に容器内容液が浸入しても信号の送受信に与える影響を無視することができる。
【００３９】
従って、ＩＣタグ１０に比して天板の径が大きい大径のキャップについては、遮蔽部材５０の径（底壁部の径）をかなり小径とし、インナーリング３１の付け根部分と環状側壁部５３の上端部分との間に比較的大きな間隔が形成されていてもよい。
【００４０】
また、図２の例では、薄肉のフランジ部５５の上面が天板２１の内面に熱溶着されているが、図３に示すように、薄肉のフランジ部５５の上面をインナーリング３１の内面付け根部分に熱溶着させることもできる。特に、図２のキャップは、大型のキャップの場合に、遮蔽部材５０のサイズを必要以上に大きくせず、小型化できるという点で有利であり、図３に示すキャップは、どのような大きさのキャップ或いはＩＣタグ１０に対しても、確実に信号の送受信の阻害を防止することができ、特に小型のキャップに適用されるという利点がある。
【００４１】
さらに、上述した図２及び図３の例では、遮蔽部材５０は、天板２１の内面に直接設けられているが、このような遮蔽部材５０をインナーリング３１に設けることもできる。図４には、このような態様を示した。
【００４２】
図４の態様のキャップは、遮蔽部材５０がインナーリング３１に設けられている点を除けば、実質的に図２或いは図３のキャップと同じ構造を有している。即ち、図４において、インナーリング３１の下方部分には、インナーリング３１の下端部が形成する開口を閉じるように遮蔽部材５０が取り付けられている。このような位置に遮蔽部材５０を設けることによって、容器口部７０に装着された状態において、ＩＣタグ１０が設けられている天板２１の下面と容器内容液との接触が確実に防止されるとともに、ＩＣタグ１０と容器内容液の液面との間に一定の間隔ｄが保持されることとなる。従って、既に述べたように、このキャップ２０を飲料等の水分を含有する内容液が充填された容器に適用した場合においても、水分による誘電損失やインピーダンスの不整合に起因する信号（電磁波）の伝送阻害が発生する事なく、ＩＣタグへの製品情報の送信（入力）及び入力された製品情報の受信（出力）を確実に行うことが可能となるわけである。
【００４３】
また、容器口部７０のシール性を確保するために使用されるインナーリング３１の下端開口が遮蔽部材５０によって閉じられているため、ＩＣタグ１０中のアンテナ３の実質上全面と容器内容液の液面との間に十分な間隔が確保されるため、ＩＣタグ１０が多少偏心して設けられたような場合においても、容器内容液による誘電損失やインピーダンス不整合による送受信の阻害を確実に防止することができる。
【００４４】
このような位置に設けられる遮蔽部材５０は、底壁部６１と底壁部６１の周縁部から立ち上がった環状側壁部６３とからなっている。この環状側壁部６３は、上方に向かって外方に傾斜した傾斜部６３ａと傾斜部６３ａの上端から外方に延びているフランジ部６３ｂとを有しており、このフランジ部６３ｂの内方側上面からは、上方補助部６３ｃが上方にほぼ直立して延びている。即ち、このような遮蔽部材５０は、インナーリング３１の下方部分から環状側壁部６３の上方補助部６３ｃを嵌めこみ、フランジ部６３ｂの上面をインナーリング３１の下端に押し付けるようにして熱溶着することにより、フランジ部６３ｂの上面とインナーリング３１の下端或いは上方補助部６３ｃの外面とインナーリング３１の内面部分とが熱溶着でしっかりと固定されることとなり、容器内容液の天板２１の下面側への漏洩を確実に防止することができるばかりか、例えば無菌充填に際して使用する殺菌水の天板２１の下面側への浸入も確実に防止することができ、水分による信号伝送の阻害を確実に防止することができる。この場合においても、熱溶着を行なわず、インナーリング３１の内面に嵌合等の機械的手段によって遮蔽部材５０を取り付けることも可能であるが、先にも述べたように、この場合には、遮蔽部材５０が不安定となり、水分の遮断効果が不十分となるおそれがあるため、熱溶着により、遮蔽部材５０を取り付けることが好適である。
【００４５】
本発明において、上記のような構造の遮蔽部材５０の大きさ（環状側壁部６３の長さ等）は、底壁部６１とＩＣタグ１０との間隔ｄが、前記と同様、底壁部６１の下面が水と接触している状態でのＩＣタグ１０への信号の伝送が水により妨害されない程度のものとすればよい。
【００４６】
特に、上記のような遮蔽部材５０では、傾斜部６３ａの軸方向長さを大きく設定することにより、インナーリング３１の長さを短くした場合にも上記間隔ｄを大きく設定することができ、生産性の高い圧縮成形により本発明のキャップ２０を生産できる。
【００４７】
上記の図４に示されているように遮蔽部材５０は、ＩＣタグ１０の大きさ（アンテナ３の外径の長さ）にかかわらず、アンテナ３の全面と内容液の液面との間に確実に所定の間隔ｄが確保され、特にＩＣタグ１０への信号の送受信の妨害を確実に防止できるという点で、最も好適であり、特に小径のキャップに好適に適用される。
【００４８】
上述した図２乃至図４に示した本発明のプラスチックキャップ２０は、ポリプロピレンやポリエチレンに代表される各種の熱可塑性樹脂を用いて、それぞれ圧縮成形によりキャップ形状の成形体、遮蔽部材５０を成形し、次いで該成形体の所定の位置に遮蔽部材５０を熱溶着等により取り付け、さらに、天板２１の上面に熱溶着等によりＩＣタグ１０を取り付けることにより製造される。この場合、上記の圧縮成形の代わりに射出成形を用いることも可能であるが、生産性などの見地から、圧縮成形を採用することが好適である。即ち、インナーリング３１の長さが長いと、射出成形により成形を行わざるを得ないが、本発明では、インナーリング３１の長さを短くして、前記間隔ｄを水による信号の送受信の妨害が生じない程度に十分な長さに設定できるため、圧縮成形により成形を行うことが可能となるわけである。
【００４９】
本発明のキャップによれば、ＩＣタグ１０中のアンテナ３と容器内容液の液面との間に十分な間隔が確保されるため、容器内容液による誘電損失やインピーダンス不整合による送受信の阻害を確実に防止することができるが、特に遮蔽部材５０の取り付け（熱溶着）を容易に行うことができる。
【図面の簡単な説明】
【００５０】
【図１】本発明のプラスチックキャップに取り付けられるＩＣタグの側断面図。
【図２】図１のＩＣタグが取り付けられた本発明のプラスチックキャップの一例を容器口部と共に示す半断面側面図。
【図３】図１のＩＣタグが取り付けられた本発明のプラスチックキャップの他の例を容器口部と共に示す半断面側面図。
【図４】図１のＩＣタグが取り付けられた本発明のプラスチックキャップのさらに他の例を容器口部と共に示す半断面側面図。
【符号の説明】
【００５１】
１０：ＩＣタグ
２１：天板
２３：スカート壁
３１：インナーリング
５０：遮蔽部材
５１，６１：底壁部
５３，６３：環状側壁部
５５，６３ｃ：フランジ部
【図１】
2008239237.tif 000003
【図２】
2008239237.tif 000004
【図３】
2008239237.tif 000005
【図４】
2008239237.tif 000006